【手続補正書】
【提出日】平成15年8月1日(2003.8.1)
【手続補正１】
【補正対象書類名】明細書
【補正対象項目名】請求項１
【補正方法】変更
【補正の内容】
【請求項１】
ＣｕＫαの特性Ｘ線（波長１．５４１Å）に対するブラッグ角２θの回折ピーク（±０．２°）として、少なくとも２７．２°に最大回折ピークを有し、且つ最も低角側の回折ピークとして７．３°にピークを有し、且つ２６．３°にもピークを有するチタニルフタロシアニン結晶。
【手続補正２】
【補正対象書類名】明細書
【補正対象項目名】請求項７
【補正方法】変更
【補正の内容】
【請求項７】
ＣｕＫαの特性Ｘ線（波長１．５４１Å）に対するブラッグ角２θの回折ピーク（±０．２°）として、少なくとも７．０°に最大回折ピークを有する不定形チタニルフタロシアニンを水の存在下で有機溶媒により結晶変換を行ない、次いで機械的なシェアを与える処理を行なうことを特徴とする請求項１乃至６のいずれかに記載のチタニルフタロシアニンの製造方法。
【手続補正３】
【補正対象書類名】明細書
【補正対象項目名】請求項１６
【補正方法】変更
【補正の内容】
【請求項１６】
電子写真感光体に、少なくとも帯電、画像露光、現像、転写を繰り返し行なう電子写真方法において、該電子写真感光体が導電性支持体上に少なくとも感光層を有し、該感光層中に電荷発生物質として、ＣｕＫαの特性Ｘ線（波長１．５４１Å）に対するブラッグ角２θの回折ピーク（±０．２゜）として、少なくとも２７．２゜に最大回折ピークを有し、かつ最も低角側の回折ピークとして７．３゜にピークを有し、かつ２６．３゜にもピークを有することを特徴とする電子写真感光体であることを特徴とする電子写真方法。
【手続補正４】
【補正対象書類名】明細書
【補正対象項目名】請求項１８
【補正方法】変更
【補正の内容】
【請求項１８】
少なくとも帯電手段、画像露光手段、現像手段、転写手段および電子写真感光体を具備してなる電子写真装置であって、該電子写真感光体が導電性支持体上に少なくとも感光層を有し、該感光層中に電荷発生物質として、ＣｕＫαの特性Ｘ線（波長１．５４１Å）に対するブラッグ角２θの回折ピーク（±０．２゜）として、少なくとも２７．２゜に最大回折ピークを有し、かつ最も低角側の回折ピークとして７．３゜にピークを有し、かつ２６．３゜にもピークを有することを特徴とする電子写真感光体であることを特徴とする電子写真装置。
【手続補正５】
【補正対象書類名】明細書
【補正対象項目名】００１０
【補正方法】変更
【補正の内容】
【００１０】
したがって前記目的は、本発明の（１）「ＣｕＫαの特性Ｘ線（波長１．５４１Å）に対するブラッグ角２θの回折ピーク（±０．２°）として、少なくとも２７．２°に最大回折ピークを有し、且つ最も低角側の回折ピークとして７．３°にピークを有し、且つ２６．３°にもピークを有するチタニルフタロシアニン結晶」、（２）「９．４°より低角側の領域における回折ピークが７．３°であることを特徴とする前記第（１）項に記載のチタニルフタロシアニン結晶」、（３）「７．４〜９．４°の範囲にピークを有さないことを特徴とする前記第（１）項に記載のチタニルフタロシアニン結晶」、（４）「２６．３°のピーク強度が２７．２°の強度の１０％未満であることを特徴とする前記第（１）項乃至第（３）項のいずれかに記載のチタニルフタロシアニン結晶」、（５）「前記チタニルフタロシアニンが２８．６°にも同時にピークを有する場合、その強度が２７．２°の強度の２０％未満であることを特徴とする前記第（１）項乃至第（４）項のいずれかに記載のチタニルフタロシアニン結晶」、（６）「前記チタニルフタロシアニンが、ハロゲン化チタンを用いずに合成されたものであることを特徴とする前記第（１）項乃至第（５）項のいずれかに記載のチタニルフタロシアニン結晶」により達成される。


【手続補正６】
【補正対象書類名】明細書
【補正対象項目名】００１１
【補正方法】変更
【補正の内容】
【００１１】
また、前記目的は、本発明の（７）「ＣｕＫαの特性Ｘ線（波長１．５４１Å）に対するブラッグ角２θの回折ピーク（±０．２°）として、少なくとも７．０°に最大回折ピークを有する不定形チタニルフタロシアニンを水の存在下で有機溶媒により結晶変換を行ない、次いで機械的なシェアを与える処理を行なうことを特徴とする前記第（１）項乃至第（６）項のいずれかに記載のチタニルフタロシアニンの製造方法、（８）「前記７．０°の回折ピークの半値巾が１°以上である不定形チタニルフタロシアニンを水の存在下で有機溶媒により結晶変換を行なうことを特徴とする前記第（７）項に記載のチタニルフタロシアニンの製造方法」、（９）「前記有機溶媒が、少なくともテトラヒドロフラン、シクロヘキサノン、トルエン、塩化メチレン、二硫化炭素、オルトジクロロベンゼン、１，１，２−トリクロロエタンの中から選ばれる１種を含むことを特徴とする前記第（７）項又は第（８）項に記載のチタニルフタロシアニンの製造方法」により達成される。


【手続補正７】
【補正対象書類名】明細書
【補正対象項目名】００１４
【補正方法】変更
【補正の内容】
【００１４】
さらに、前記目的は、本発明の（１６）「電子写真感光体に、少なくとも帯電、画像露光、現像、転写を繰り返し行なう電子写真方法において、該電子写真感光体が導電性支持体上に少なくとも感光層を有し、該感光層中に電荷発生物質として、ＣｕＫαの特性Ｘ線（波長１．５４１Å）に対するブラッグ角２θの回折ピーク（±０．２゜）として、少なくとも２７．２゜に最大回折ピークを有し、かつ最も低角側の回折ピークとして７．３゜にピークを有し、かつ２６．３゜にもピークを有することを特徴とする電子写真感光体であることを特徴とする電子写真方法」、（１７）「帯電部材が感光体と接触若しくは近接配置された帯電部材であることを特徴とする前記第（１６）項に記載の電子写真方法」によって達成される。


【手続補正８】
【補正対象書類名】明細書
【補正対象項目名】００１５
【補正方法】変更
【補正の内容】
【００１５】
さらに、前記目的は、本発明の（１８）「少なくとも帯電手段、画像露光手段、現像手段、転写手段および電子写真感光体を具備してなる電子写真装置であって、該電子写真感光体が導電性支持体上に少なくとも感光層を有し、該感光層中に電荷発生物質として、ＣｕＫαの特性Ｘ線（波長１．５４１Å）に対するブラッグ角２θの回折ピーク（±０．２゜）として、少なくとも２７．２゜に最大回折ピークを有し、かつ最も低角側の回折ピークとして７．３゜にピークを有し、かつ２６．３゜にもピークを有することを特徴とする電子写真感光体であることを特徴とする電子写真装置」、（１９）「帯電部材が感光体と接触若しくは近接配置された帯電部材であることを特徴とする前記第（１８）項に記載の電子写真装置」、（２０）「該帯電部材に直流成分に交流成分を重畳し、感光体に帯電を与えることを特徴とする前記第（１９）項に記載の電子写真装置」によって達成される。


【手続補正９】
【補正対象書類名】明細書
【補正対象項目名】００２２
【補正方法】変更
【補正の内容】
【００２２】
本発明に使用されるチタニルフタロシアニンは、ＣｕＫαの特性Ｘ線（波長１．５４１Å）を用いたＸ線回折スペクトルにおいて、ブラッグ角２θの回折ピーク（±０．２°）として、少なくとも２７．２°に最大ピークを有し、且つ最も低角側の回折ピークとして７．３°にピークを有し、且つ２６．３°にもピークを有するチタニルフタロシアニンが好ましく使用される。